(57)【特許請求の範囲】
【請求項１】
入場処理及び出場処理を行う改札装置において；
利用者が、入場処理を行う旨を指定する入場ボタンと；
利用者が、出場処理を行う旨を指定する出場ボタンと；
前記利用者が提示するカード媒体に情報の読み書き処理をするカード処理手段とを備え；
前記カード処理手段は非接触で前記カード媒体に情報の読み書きをする読み書き部を有し、前記入場ボタンは前記読み書き部に対して入場方向手前側に配置され、前記出場ボタンは前記読み書き部に対して出場方向手前側に配置され；
前記入場ボタン及び前記出場ボタンは、前記読み書き部から、前記利用者の握りこぶしの平均的な大きさの範囲に配置されている；
改札装置。
【請求項２】
入場処理及び出場処理を行う改札装置において；
利用者が、入場処理を行う旨を指定する入場ボタンと；
利用者が、出場処理を行う旨を指定する出場ボタンと；
前記利用者が提示するカード媒体に情報の読み書き処理をするカード処理手段とを備え；
前記カード処理手段は非接触で前記カード媒体に情報の読み書きをする読み書き部を有し、前記入場ボタンは前記読み書き部に対して入場方向手前側に配置され、前記出場ボタンは前記読み書き部に対して出場方向手前側に配置され；
前記読み書き部は、前記利用者が前記カード媒体の周縁部を前記利用者の握りこぶしの平均的な大きさの手の親指と人差し指とで挟んで保持した状態で、前記カード媒体を保持した手の小指の付け根周辺で前記入場ボタン又は前記出場ボタンを押下しつつ前記カード媒体を前記カード処理手段にかざしたときに前記読み書き処理ができる位置に配置された；
改札装置。
【請求項３】
前記利用者に案内情報を伝える情報伝達手段を備える；
請求項１又は請求項２に記載の改札装置。
【請求項４】
前記利用者の存在を検知する検知手段を備える；
請求項１乃至請求項３のいずれか１項に記載の改札装置。
【請求項５】
請求項１乃至請求項４のいずれか１項に記載の改札装置と；
前記改札装置と通信回線を介して接続され、前記改札装置の管理を行う運用管理サーバとを備える；
改札システム。
【発明の詳細な説明】
【０００１】
本発明は、改札装置、改札システム及び改札方法に関し、特に駅務等で用いられるＩＣカードを使用できる改札装置、該改札装置を備えた改札システム及び改札方法に関する。
【０００２】
【従来の技術】
従来の改札システムとして、現在運用が開始されている非接触ＩＣカードを用いた改札システムがある。この改札システムでは、無人駅や閑散駅などには、扉無しのＩＣカード専用改札装置の設置がされている。この専用改札装置は、入場用と、出場用とが各々設置されている。利用者は、入場する場合には入場用改札装置で、出場する場合には出場用改札装置でカードを処理する必要があった。
【０００３】
【発明が解決しようとする課題】
しかし、このような改札システムは、入場用改札装置と、出場用改札装置と共に設置する必要があり、設置効率が悪くシステムが大掛かりになってしまっていた。また、利用者は、自身で入場用改札装置か出場用改札装置かを選ぶ必要があり、さらに、万一、装置の選択を誤った場合には、別の装置へ行って処理を行わなければならないので流動阻害を起こす可能性もある。このため、利用者による利用が簡便ではなかった。
【０００４】
さらに、利用者が、出場時に、出場用改札装置で出場処理を行わずそのまま出場し、そして、同一日に再度乗車するために入場処理を行おうとして、誤って出場用改札装置で入場処理を行おうとする場合がある。この場合には、前回の出場で出場処理が行われていないため、利用者が入場しようとしているにも拘らず、出場用改札装置が正常な出場と判定して出場処理を行ってしまうので、利用者の動作とカード処理に不一致が発生してしまう。これにより、利用者は簡便な利用ができなくなる。
【０００５】
そこで、本発明は、単純で安価でありながら、簡便に利用できる改札装置、改札システム及び改札方法を提供することを目的とする。
【０００６】
【課題を解決するための手段】
上記目的を達成するために、本発明による改札装置１０は、例えば図３に示すように、入場処理及び出場処理のうち少なくとも一方を行う改札装置において；利用者が、入場処理を行うか、出場処理を行うかの旨を指定する処理指定手段１３、１４と；前記利用者が提示するカード媒体３に情報の読み書き処理をするカード処理手段１５とを備えている。
【０００７】
このように構成すると、処理指定手段１３、１４により、利用者が、入場処理を行うか、出場処理を行うかの旨を指定し、カード処理手段１５により、前記利用者が提示するカード媒体３に情報の読み書き処理をするので、利用者が処理の種類を意識できるので、入場か出場かを間違えにくく、単純で安価でありながら、簡便に利用できる改札装置を提供することができる。
【０００８】
上記目的を達成するために、請求項１に係る発明による改札装置１０は、例えば図３、図５に示すように、入場処理及び出場処理を行う改札装置において；利用者が、入場処理を行う旨を指定する入場ボタン１３と；利用者が、出場処理を行う旨を指定する出場ボタン１４と；前記利用者が提示するカード媒体３に情報の読み書き処理をするカード処理手段１５とを備え；カード処理手段１５は非接触で前記カード媒体に情報の読み書きをする読み書き部１５ａを有し、入場ボタン１３は読み書き部１５ａに対して入場方向手前側に配置され、出場ボタン１４は読み書き部１５ａに対して出場方向手前側に配置され；入場ボタン１３及び出場ボタン１４は、読み書き部１５ａから、前記利用者の握りこぶしの平均的な大きさの範囲に配置されている。
【０００９】
このように構成すると、入場ボタン１３により、利用者が、入場処理を行う旨を指定し、また、出場ボタン１４により、利用者が、出場処理を行う旨を指定し、カード処理手段１５により、前記利用者が提示するカード媒体３に情報の読み書き処理をするので、１つの装置で入場と出場の両方に対処でき、単純で安価でありながら、簡便に利用できる改札装置を提供することができる。
【００１０】
上述のように、請求項１に係る発明による改札装置１０は、例えば図３、図５に示すように、カード処理手段１５は非接触でカード媒体３に情報の読み書きをする読み書き部１５ａを有し、入場ボタン１３は読み書き部１５ａに対して入場方向手前側に配置され、出場ボタン１４は読み書き部１５ａに対して出場方向手前側に配置されている。
【００１１】
このように構成すると、入場ボタン１３は読み書き部１５ａに対して入場方向手前側に配置され、出場ボタン１４は読み書き部１５ａに対して出場方向手前側に配置されているので、利用者が、入場ボタン１３により入場処理を行う旨を指定し易く、また、出場処理を行う旨を指定し易くなり、円滑に操作を行うことができる。
【００１２】
また請求項１に係る発明による改札装置１０は、入場ボタン１３及び出場ボタン１４は、読み書き部１５ａから、利用者の握りこぶしの平均的な大きさの範囲に配置されている。このように構成すると、利用者がカード媒体３を提示するのと入場ボタン１３又は出場ボタン１４を操作する行為を同時に行うことができ操作時間の短縮が可能である。
また請求項２に係る発明による改札装置１０は、例えば図３、図９に示すように、入場処理及び出場処理を行う改札装置において；利用者が、入場処理を行う旨を指定する入場ボタン１３と；利用者が、出場処理を行う旨を指定する出場ボタン１４と；前記利用者が提示するカード媒体３に情報の読み書き処理をするカード処理手段１５とを備え；カード処理手段１５は非接触で前記カード媒体に情報の読み書きをする読み書き部１５ａを有し、入場ボタン１３は読み書き部１５ａに対して入場方向手前側に配置され、出場ボタン１４は読み書き部１５ａに対して出場方向手前側に配置され；読み書き部１５ａは、前記利用者がカード媒体３の周縁部を前記利用者の握りこぶしの平均的な大きさの手の親指と人差し指とで挟んで保持した状態で、カード媒体３を保持した手の小指の付け根周辺で入場ボタン１３又は出場ボタン１４を押下しつつカード媒体３をカード処理手段１５にかざしたときに前記読み書き処理ができる位置に配置されている。
【００１３】
請求項３に係る発明による改札装置１０は、請求項１又は請求項２に記載の改札装置１０において、例えば図３に示すように、前記利用者に案内情報を伝える情報伝達手段１６を備えるとよい。
【００１４】
このように構成すると、情報伝達手段１６により前記利用者に案内情報を伝えることができるので、利用者が簡便に操作できる。
【００１５】
また上記改札装置１０では、情報伝達手段１６は、情報を表示により伝える表示手段１６であることが好ましい。
【００１６】
請求項４に係る発明による改札装置１０は、請求項１乃至請求項３のいずれか１項に記載の改札装置１０において、例えば図３、図４に示すように、前記利用者の存在を検知する検知手段を備えるとよい。
【００１７】
このように構成すると、例えば、利用者の存在を検知していないときには、情報伝達手段１６により案内情報を伝えることを停止できるので、節電することができる。
【００１８】
上記目的を達成するために、請求項５に係る発明による改札システム１は、例えば図６に示すように、請求項１乃至請求項４のいずれか１項に記載の改札装置１０と；改札装置１０と通信回線２を介して接続され、改札装置１０の管理を行う運用管理サーバ１０２とを備えている。
【００１９】
上記目的を達成するために、本発明による改札方法は、例えば図７に示すように、入場処理及び出場処理を行う改札方法において；利用者が、入場処理を行うか、出場処理を行うかの旨を指定する処理指定工程Ｓ５と；前記利用者が提示するカード媒体から情報を読み取る情報読取工程Ｓ９、Ｓ２５と；前記読み取った情報を処理する情報処理工程Ｓ１１、Ｓ２７と；前記処理した情報を前記カード媒体に書き込む情報書込工程Ｓ１５、Ｓ２９とを備えている。
【００２０】
このように構成すると、利用者が、入場処理を行うか、出場処理を行うかの旨を指定し、前記利用者が提示するカード媒体から前記読み取った情報を処理して、前記処理した情報を前記カード媒体に書き込むので、利用者が処理の種類を意識できるので、入場か出場かを間違えにくく、単純で安価でありながら、簡便に利用できる改札方法を提供できる。
【００２１】
【発明の実施の形態】
以下、本発明の実施の形態について、図面を参照して説明する。なお、各図において互いに同一あるいは相当する部材には同一符号を付し、重複した説明は省略する。
【００２２】
図１は、本発明の実施の形態に係る改札装置としての改札機１０を説明する概略斜視図である。本実施の形態では、改札機１０は、鉄道に用いるものであり、さらに、乗降客の少ない駅例えば無人駅に設置されているものとして説明する。また改札機１０は、駅の改札口の改札通路沿いに、接客面１０ａを改札通路側に向けて設置されている。図示では、改札機１０の左上方側からの改札通路の通過を入場、右下方側からの改札通路の通過を出場としている。即ち、改札機１０の右下方側が駅構内側であり、左上方側が駅出口側（駅構外側）である。また本実施の形態では、改札装置１０は、例えば駅舎内に設置された改札機監視端末１０１に、通信回線２で接続されている。通信回線２は、例えばローカルエリアネットワーク（ＬＡＮ）、ワイドエリアネットワーク（ＷＡＮ）、電話回線等を含む通信回線である。通信のプロトコルには、ＴＣＰ／ＩＰを用いるとよい。なお、改札機監視端末１０１については、図６を参照して後で説明する。
【００２３】
また本実施の形態では、改札機１０には、利用者が提示するカード媒体としてのＩＣカード３を用いる。ＩＣカード３は、例えば無線式のＩＣカードであり、定期券、ストアードフェアカード（以下ＳＦカードという）のどちらか一方または両方の機能を持ったものである。以下、ＩＣカード３は、定期券とＳＦカードとの両方の機能を持ったもので説明する。また、ＩＣカード３を提示するとは、例えば、所定の位置にＩＣカード３をかざす、又は所定の位置に軽く接触させる即ち１タッチすることである。所定の場所は、例えば図５で後述する接客面１０ａ上の案内表示１９ｂの位置である。
【００２４】
図２を参照して、ＩＣカード３について説明する。ＩＣカード３は、およそクレジットカードと同じ形状である。ＩＣカード３には、既存の無線式のＩＣカードを用いるとよい。ＩＣカード３には、カード情報３ａを含む情報が記録されている。情報は、例えばビット列で記録される。また、ＩＣカード３は、これらの情報を、電波を用いて非接触で読出し又は書込みできるものである。ＩＣカード３は、所定の場所にＩＣカード３をかざすまたは１タッチすることで、後述のカードリーダライタ１５（図３参照）により、情報が読出し又は書込みされる。
【００２５】
カード情報３ａは、例えばカードＩＤ番号と、定期券情報と、ＳＦカード情報と、入出場情報とを含んでいる。さらにＳＦカード情報は、残高金額を含んでいる。残高金額は、ＩＣカード３に入金（積み増し）されている金額から利用した金額（精算した金額）を差し引いた金額である。また、残高金額には、上限金額を設けてもよい。
【００２６】
入出場情報には、入場情報と、出場情報とがある。入場情報は、入場駅、入場時刻等である。出場情報は、出場駅、出場時刻等である。また、入場情報、出場情報は、同じビット列を割り当て、入場の際には書き込まれた出場情報に上書きし、出場の際には書き込まれた入場情報に上書きするとよい。さらに、入出場情報には、利用者の入出場を監視するための入場ビットが記録される。入場ビットは、例えば、入場の際に改札機１０（カードリーダライタ１５（図３参照））により記録され、出場の際に改札機１０（カードリーダライタ１５）により落とされる（消去される）ようにするとよい。また入場ビットは、入場情報が記録されていない（例えば入場ビットが記録されていない）、または出場情報が記録されていない（例えば入場ビットが落とされていない）場合に、改札機１０により入出場を禁止するといった入出場管理に用いることで、利用者の入出場の管理が確実かつ簡便になる。また、入場ビットが記録されていない場合にのみ、改札機１０により出場を禁止するような運用もできる。さらに、入出場情報は、前述の定期券の機能のみを持ったものと、またはＳＦカードの機能のみを持ったものとの両方にもそれぞれ記録されるものである。
【００２７】
図３のブロック図を参照して、改札機１０についてさらに説明する。改札機１０は、利用者が入場処理を行う旨を指定する入場ボタン１３と、利用者が出場処理を行う旨を指定する出場ボタン１４と、利用者が提示するＩＣカード３に情報の読み書き処理をするカード処理手段としてのカードリーダライタ１５と、利用者に案内情報を伝える情報伝達手段としての表示モニタ１６と、利用者の存在を検知する検知手段としての存在検知センサ１７と、制御装置２０と、通信インタフェース３０と、補助記憶媒体処理装置３１と、電源装置３２とを含んで構成されている。
【００２８】
入場ボタン１３、出場ボタン１４、カードリーダライタ１５、表示モニタ１６、存在検知センサ１７は、後述の接客部１１側に取り付けられている。また、制御装置２０、通信インタフェース３０、補助記憶媒体処理装置３１、電源装置３２は、後述の基台部１２側に取り付けられている。改札機１０は、入場ボタン１３又は出場ボタン１４による利用者の指定に応じて入場処理又は出場処理を行うように構成されている。また、入場ボタン１３と出場ボタン１４とは、利用者が、入場処理を行うか、出場処理を行うかの旨を指定する処理指定手段でもある。また、読み書き処理をされる情報は、例えばカード情報３ａである。また各構成要素の詳細については後述する。
【００２９】
図４の斜視図に示すように、改札機１０は、接客部１１と、基台部１２とから構成される。接客部１１は、側面１１ａが略くの字形の形状をしている。また基台部１２は、側面１２ａが略Ｌ字形の形状をしている（図中側面１２ａは逆Ｌ字形の形状）。また接客部１１は、基台部１２の上に一体に形成されている。接客部１１は、上部正面に接客面１０ａを有している。
【００３０】
さらに、接客部１１は、開閉可能な接客扉１１ｂを有しており、基台部１２は、開閉可能な基台扉１２ｂを有している。また、接客扉１１ｂの上部には接客面１０ａが形成されている。接客扉１１ｂ、基台扉１２ｂは、それぞれ不図示のヒンジを介して取り付けることで回動させて開閉できるようにしてもよいし、それぞれ取り外すことにより開閉できるようにしてもよい。また、接客扉１１ｂは、錠１１ｃを有しており、鍵により接客扉１１ｂと基台扉１２ｂとに施錠できるように構成されている。このようにすることで、関係者以外の者が接客扉１１ｂ又は基台扉１２ｂを開けで内部に触れることができないので、保安性が高い。
【００３１】
また、図５の平面図に示すように、接客部１１の接客面１０ａには、入場ボタン１３と、出場ボタン１４とが突出している。また、接客面１０ａのおよそ中央部には略Ｔ字形のアクリル板１９が取り付けられている。アクリル板１９は、およそ上部の一部に透明部１９ａを有しており、およそ下部にＩＣカード３をかざすまたは１タッチする場所を利用者に対して案内する案内表示１９ｂが施されている。ここでは図中左側からの通過が入場、右側からの通過が出場である。即ち、図中左側が駅出口側、右側が駅構内側である。
【００３２】
入場ボタン１３と出場ボタン１４は、例えば押し込み式のタッチスイッチである。さらに、入場ボタン１３と出場ボタン１４は、共に三角形に形成されている。入場ボタン１３は、三角形の１つの頂点を入場方向（図中右方向）に向けて、出場ボタン１４は、三角形の１つの頂点を出場方向（図中左方向）に向けて配置されている。このようにすることで、利用者は入場ボタン１３と出場ボタン１４との判別がつきやすく、各ボタンの押し間違えをしにくくなる。
【００３３】
カードリーダライタ１５は、非接触でＩＣカード３に情報の読み書きをする読み書き部としてのアンテナ部１５ａを有している。アンテナ部１５ａは、およそアクリル板１９の裏面（装置内部側の面）の案内表示１９ｂの位置近傍に配置されている。即ち、アンテナ部１５ａはアクリル板１９により保護されている。アンテナ部１５ａは、利用者によりＩＣカード３が案内表示１９ｂの位置にかざされる又は１タッチされたとき、言い換えればＩＣカード３が案内表示１９の位置もしくはその近傍に存在するときに、ＩＣカード３に情報の読み書きをできるように構成されている。
【００３４】
入場ボタン１３は、アンテナ部１５ａに対して入場方向手前側に配置され、出場ボタン１４は、アンテナ部１５ａに対して出場方向手前側に配置されている。言い換えれば、アンテナ部１５ａは、入場ボタン１３と出場ボタン１４との間に配置されている。さらに、入場ボタン１３及び出場ボタン１４は、アンテナ部１５ａから、利用者の握りこぶしの平均的な大きさの範囲に配置されている。これにより、利用者がＩＣカード３をアンテナ部１５ａにかざす又は１タッチするのと入場ボタン１３又は出場ボタン１４を押す行為を同時に行うことができ、操作時間の短縮が可能である。
【００３５】
表示モニタ１６は、案内情報としての操作案内を表示により利用者に伝えるものである。表示モニタ１６は、例えばカラー液晶ディスプレイ（ＬＣＤ）である。表示モニタ１６は、アクリル板１９の裏面（装置内部側の面）の透明部１９ａの位置に表示部分が重なるように配置されている。即ち、表示モニタ１６は、アクリル板１９によりその表示部分を保護されている。
【００３６】
また、改札機１０は、表示モニタ１６の代わりに、情報伝達手段として利用者に情報を音声により伝える手段としての音声出力装置を備えるようにしてもよい。音声出力装置は、操作案内を音声により利用者に伝えるものである。また改札機１０は、表示モニタ１６と音声出力装置との両方を備えるように構成してもよい。このようにすることで、利用者は操作案内を表示と音声により受けるので、簡便に操作することができる。
【００３７】
図３に戻ってさらに説明する。存在検知センサ１７は、利用者の存在を検知するものである。存在検知センサ１７は、例えば光電スイッチである。存在検知センサ１７は、接客扉１１ｂのおよそ下部に形成されたアクリル板の窓１１ｄの裏側（装置内部側）に取り付けられている（図４参照）。改札機１０は、存在検知センサ１７により、利用者が改札機１０の前に存在していることを検知できるので、例えば利用者が改札機１０の前に存在していないときに表示モニタ１６を消灯することができ、表示モニタ１６の耐用年数を長くできる。さらに、利用者が改札機１０の前に存在していないときに表示モニタ１６を消灯することで、節電することができる。
【００３８】
入場ボタン１３と出場ボタン１４は、インタフェース基盤１８を介して制御装置２０に接続されている。カードリーダライタ１５、表示モニタ１６、存在検知センサ１７は、制御装置２０に接続されている。
【００３９】
制御装置２０は制御部２１を有している。そして制御部２１は、改札機１０を制御する。制御装置２０は、例えばパソコンである。
【００４０】
制御部２１は、カード情報３ａ（図２参照）に基づいてＩＣカード３の有効無効を判定し、料金の精算処理をする判定処理部２２を有している。さらに、判定処理部２２は、カード情報３ａと後述の利用監視情報２７とを比較してＩＣカード３の有効無効を判定する判定部２４と、後述の受付装置情報３７とカード情報３ａに基づき精算金額を演算する精算処理部２５とを有している。
【００４１】
利用監視情報２７は、例えば紛失、盗難等の履歴のある事故カードのカードＩＤ番号のリストである。即ち使用不能カードのカードＩＤ番号のリストである。判定部２４は、ＩＣカード３の有効無効をカード情報３ａのカードＩＤ番号で判定する。また、判定部２４は、受付装置情報３７とカード情報３ａとから精算する必要があるか否かを判定するように構成されている。さらに判定部２４は、ＩＣカード３のカード情報３ａが適正であるかの判定を行うようにする。この判定は、例えば入出場情報、定期券情報が適正であるかの判定である。受付装置情報３７は、例えば改札機１０が持っている装置番号、改札機１０が設置されている駅のコードである。
【００４２】
また、制御装置２０は、判定結果及び精算結果を内部に蓄積する記憶装置としての記憶部２６を有している。記憶部２６は、算出された情報等のデータが記憶できる。さらに記憶部２６内には、利用監視情報２７、料金（運賃）テーブル２８、判定処理情報２９、受付装置情報３７が保存されている。判定処理情報２９には、改札機１０が行った処理が履歴として記録されている。記憶部２６は、例えば、ハードディスクであってもよいし、ランダムアクセスメモリ（ＲＡＭ）のようなメモリでもよい。
【００４３】
また、通信インタフェース３０は、通信回線２を介して情報を外部装置に送信または外部装置から受信するためのものである。通信インタフェース３０は制御装置２０に接続されている。また、外部装置は、例えば図６で後述する改札機監視端末１０１や運用管理サーバ１０２等である。
【００４４】
改札機１０は、判定処理部２２の処理結果としての個別判定情報を、ＩＣカード３より読出したカード情報３ａに記録し、個別判定情報を記録したカード情報３ａは、カードリーダライタ１５によりＩＣカード３に書き込まれるように構成されている。即ち、カード情報３ａが書き換えられる。個別判定情報は、例えば判定処理部２２の判定結果、精算結果である。また、個別判定情報のみをカードリーダライタ１５によりＩＣカード３に追加書き込みするようにしてもよい。精算結果は、精算金額、精算後の残高金額、精算の不足金額である。
【００４５】
補助記憶媒体処理装置３１は、着脱式の記憶媒体に対して、情報を入出力するものである。補助記憶媒体処理装置３１は、例えばコンパクトフラッシュ（登録商標）カード用のインタフェースであるが、ＭＯディスクのディスクドライブ、スマートメディアのインタフェース等であってもよく、例えばプログラムを記憶できる比較的大容量の記憶媒体を処理できるものであればよい。補助記憶媒体処理装置３１は、制御装置２０のハードディスクインタフェース３６、例えばインテグレーテッドデバイスエレクトロニクス（ＩＤＥ）にて接続されている。これにより、改札機１０は、外部からの情報を高速で入出力できるので、例えばソフトウエアのインストールが簡便になり、運用、保守が簡便になる。
【００４６】
電源装置３２は、制御装置２０に電源を供給するためのものである。また、電源装置３２は、例えば停電により電源装置３２への電源供給が断たれたとしても制御装置２０に電源を供給できる無停電機能を有するものを用いる。これにより、改札機１０は、例えば停電が発生しても、改札機１０が利用不能になることなくその運用を継続できるので、信頼性が高い。
【００４７】
また、改札機１０は、フロッピー（登録商標）ディスク（以下ＦＤという）のディスクドライブ３３（以下ＦＤドライブ３３という）を備えるようにするとよい。ＦＤドライブ３３を備えることで、外部装置例えば後述の収入管理端末１０３（図６参照）との情報の交換が、通信回線２を介さずに行える。
【００４８】
さらに、改札機１０は、異常が発生した場合に作動する警報装置３４を備えるとよい。警報装置３４は、改札機１０の故障、破壊等や、不正なＩＣカード３が使用された場合に作動するように構成するとよい。このようにすることで、改札機１０に発生した異常に対して迅速に対応できるので、保安性を高めることができる。さらに、異常に対して迅速に対応できるので、運用効率を向上させることができる。また、改札機１０は、警報装置３４が作動した場合に、通信インタフェース３０を介して、異常の発生を外部、例えば後述の改札機監視端末１０１や運用管理サーバ１０２に通報するように構成するとよい。警報装置３４は、特に無人駅や閑散駅に設置する改札機１０に備えるとよい。
【００４９】
図６の概略図を参照して、改札機１０を備えた改札システム１について説明する。改札システム１は、改札機１０と、改札機監視端末１０１と、改札機１０と通信回線２を介して接続され、改札機１０の管理を行う運用管理サーバ１０２と、収入管理端末１０３とを含んで構成される。また、改札機１０、改札機監視端末１０１、運用管理サーバ１０２、収入管理端末１０３は、それぞれが通信回線２で接続されている。ここで、管理とは、例えば、料金情報（料金テーブル２８（図３参照））の更新、不正カードのＩＤ番号（利用監視情報２７（図３参照））の更新、改札機１０が正常に運用されているかを監視することである。ここでは、改札機１０と改札機監視端末１０１はＡ駅に設置され、運用管理サーバ１０２と収入管理端末１０３はＢ駅に設置されているものとして説明する。またＡ駅は、乗降客の少ない駅例えば無人駅であり、Ｂ駅は大規模な駅である。改札機監視端末１０１、運用管理サーバ１０２、収入管理端末１０３は、それぞれ設置駅の駅舎内の関係者以外の立ち入りを禁止できる場所に設置されている。さらに、改札システム１は、図示のように改札機１０を複数有するように構成してもよい。
【００５０】
改札機１０と改札機監視端末１０１は、それぞれハブ１０５ａに接続され、ハブ１０５ａはダイヤルアップルータ１０６ａに接続されている。また、運用管理サーバ１０２と収入管理端末１０３は、それぞれハブ１０５ｂに接続され、ハブ１０５ｂはダイヤルアップルータ１０６ｂに接続されている。そして、ダイヤルアップルータ１０６ａとダイヤルアップルータ１０６ｂとは、電話回線、例えばＩＮＳネット公衆網で接続されている。言い換えれば、Ａ駅の改札機１０、改札機監視端末１０１と、Ｂ駅の運用管理サーバ１０２、収入管理端末１０３とが通信回線２で接続され、ネットワークを形成している。
【００５１】
改札機監視端末１０１は、改札機１０を監視するものであり、例えば改札機１０の故障、破壊等や、不正なＩＣカード３が使用されたか否かを監視するものである。また、改札機監視端末１０１は、ＳＦカード機能が利用された場合に、ＩＣカード３から収受した運賃収入の管理が行えるように構成されている。
【００５２】
運用管理サーバ１０２は、改札機１０と改札機監視端末１０１との両方またはいずれか一方の管理を行っているものである。運用管理サーバ１０２は、利用監視情報２７、料金テーブル２８（図３参照）を、通信回線２を介して改札機１０にダウンロードできるように構成されている。改札機監視端末１０１、運用管理サーバ１０２、収入管理端末１０３は、例えばパソコンであるが、ワークステーション、メインフレームなど、種々のコンピュータで実施可能である。
【００５３】
収入管理端末１０３は、例えばＳＦカード機能が利用された場合に、ＩＣカード３から収受した運賃収入を管理するものである。また、収入管理端末１０３は、複数の運用管理サーバ１０２を管理している。言い換えれば、収入管理端末１０３には改札機１０で収受された運賃収受情報が、通信回線２を介して収入管理端末にアップロードされる。またここでは、収入管理端末１０３と運用管理サーバ１０２は通信回線２で接続されている場合、必ずしも収入管理端末１０３と運用管理サーバ１０２とが接続されている必要はなく、例えばＦＤのような記憶媒体によって、改札機１０又は改札機監視端末１０１から運賃収受情報を得るように構成してもよい。
【００５４】
以上では、運用管理サーバ１０２と収入管理端末１０３は、別体として説明したが、１つの端末機（サーバ）で構成してもよい。このようにすると、改札システム１を単純化することができる。また、改札機監視端末１０１は、運用管理サーバ１０２内に組み込んでもよい。このようにすると、複数の駅に設置された改札機１０によるＩＣカード３の処理、例えば精算処理を運用管理サーバ１０２により一元管理できる。これにより、改札システム１を単純化、高効率に構成することができる。
【００５５】
図７を参照して、改札機１０の作用を説明する。まず、改札機１０の電源を投入すると、改札機１０が初期化（起動）される。改札機１０は、準備が整うと、利用者の入場処理又は出場処理の旨を受け付けることができる状態になる。そして、改札機１０は、存在検知センサ１７により利用者の存在を検知するまで表示モニタ１６を消灯して待機する（ステップ１（以下単にＳ１という））。
【００５６】
次に、改札機１０は、存在検知センサ１７により利用者の存在を検知すると、即ち存在検知センサ１７がＯＮになると（Ｓ１がＹ）、表示モニタ１６により操作案内の表示を開始する（Ｓ３）。またこのとき、表示モニタ１６には、例えば「入場または出場を選択後、ＩＣカードをかざしてください。」と操作案内が表示されている。さらに同時に、利用者が行う動作を、アニメーションによる操作案内で表示している。改札機１０は、この状態で利用者により入場ボタン１３又は出場ボタン１４が押下されるまで待機する。そして、利用者が入場ボタン１３又は出場ボタン１４を押下する（Ｓ５）。
【００５７】
改札機１０は、入場ボタン１３が押下された、即ち入場ボタン１３がＯＮの場合には（Ｓ５が入場ボタンＯＮ）、入場処理を開始し、カードリーダライタ１５からポーリング信号が発信する（Ｓ７）。そして、改札機１０は、利用者によりＩＣカード３がかざされる又は１タッチされると、カードリーダライタ１５により、ＩＣカード３のカード情報３ａを読取る（Ｓ９）。
【００５８】
改札機１０は、制御装置２０の判定処理部２２により、読取ったカード情報３ａに基づいて、ＩＣカード３の有効無効判定を行う（Ｓ１１）。この有効無効判定では、まず判定処理部２２は、判定部２４により、カード情報３ａのカードＩＤ番号と、記憶部２６内の利用監視情報２７と比較して、このＩＣカード３の有効無効を判定する。言い換えれば、利用監視情報２７にこのＩＣカード３のカードＩＤ番号が登録されているか照合し、利用監視情報２７にカードＩＤ番号が登録されていれば無効と判定する。無効と判定した場合には（Ｓ１１がＮ）、処理不能の旨、例えば「カード情報が不適性です  最寄りの駅の駅係員に申し出てください」の表示を改札機１０の表示モニタ１６に表示する（Ｓ１３）。そして、有効と判定した場合には、さらに判定部２４により、カード情報３ａの入出場情報が適正であるかの判定を行う。入出場情報が適正でないと判定をした場合には（Ｓ１１がＮ）、処理不能の旨を改札機１０の表示モニタ１６に表示する（Ｓ１３）。
【００５９】
そして、入出場情報が適正であると判定をした場合には、さらに、定期券情報が適正であるかの判定を行う。判定部２４は、定期券情報から定期券の有効期限内か、定期券の利用区間（以下定期券区間という。）内かを判定する。
【００６０】
定期券有効期限外や定期券区間外の場合には、判定処理部２２は、精算処理部２５により、精算処理を行う。この際に、精算処理部２５は、入場の場合であるので、ＳＦカード情報の残高金額が入場に必要な金額以上であれば、この金額を残高金額より差し引いた金額を算出する。ここで、入場に必要な金額とは、例えば初乗り運賃であり、初乗り運賃は、記憶部２６の料金テーブル２８から呼び出す。精算処理部２５は、残高金額から初乗り運賃を差算する。そしてこの精算結果を含む個別判定情報をカード情報３ａに記録、さらにこのカード情報３ａに改札機１０から入場したことを示す入出場情報を記録して改札機１０のカードリーダライタ１５に出力する。これを入力したカードリーダライタ１５は、ＩＣカード３にこのカード情報３ａを書き込む（Ｓ１５）。また精算処理部２５は、この入場処理の結果を記憶部２６の判定処理情報２９に記録する。これで、入場の処理が完了する。言いかえれば、利用者は入場処理を受けたことになる。
【００６１】
また、残高金額が入場に必要な金額、即ち初乗り運賃に満たない場合には、精算処理部２５は、残高金額が初乗り運賃に満たない旨を表示モニタ１６により表示する。またこの場合には、ＩＣカード３のカード情報３ａは書き換えない。
【００６２】
定期券が定期券有効期限内であり定期券区間内の場合には、判定部２４は、改札機１０から入場したことを示すカード情報３ａをカードリーダライタ１５に出力する。これを入力したカードリーダライタ１５は、ＩＣカード３にこのカード情報３ａを書き込む（Ｓ１５）。これで、入場の処理が完了する。
【００６３】
以上の動作は、利用者がＩＣカード３をカードリーダライタ１５にかざす又は１タッチする間に行われる。また制御装置２０は、以上の入場処理を、履歴として記憶部２６の判定処理情報２９に記録する。
【００６４】
また利用者は、上述のように残高金額が入場に必要な金額に満たない場合には、例えば券売機でＩＣカード３に入金することで、残高金額を高める。これにより、利用者は入場処理を受けることができる。
【００６５】
そして、改札機１０は、カード情報３ａをＩＣカード３に書き込む、言い換えれば入場処理が完了すると、表示モニタ１６により、正常処理完了の旨を表示する（Ｓ１７）。そして、改札機１０は、表示モニタ１６により、正常処理完了の旨を表示（Ｓ１７）した後、又は処理不能の旨を改札機１０の表示モニタ１６に表示（Ｓ１３）した後に、存在検知センサ１７により利用者の存在を検知しなくなった場合には（Ｓ１９がＹ）、一定時間経過後に表示モニタ１６を消灯して待機する（Ｓ２１）。一定時間は、例えば１〜２分程度である。また、利用者の存在を検知している場合には（Ｓ１９がＮ）、表示モニタ１６の表示を継続する。
【００６６】
また、改札機１０は、出場ボタン１４が押下された、即ち出場ボタン１４がＯＮの場合には（Ｓ５が出場ボタンＯＮ）、出場処理を開始し、カードリーダライタ１５からポーリング信号が発信する（Ｓ２３）。そして、改札機１０は、利用者によりＩＣカード３がかざされる又は１タッチされると、カードリーダライタ１５により、ＩＣカード３のカード情報３ａを読取る（Ｓ２５）。
【００６７】
改札機１０は、制御装置２０の判定処理部２２により、読取ったカード情報３ａに基づいて、ＩＣカード３の有効無効判定を行う（Ｓ２７）。判定処理部２２は、前述の入場処理と同様に、ＩＣカード３の有効無効、入出場情報の適否、定期券情報の適否の判定を行う。そして、また判定部２４は、出場駅が定期券区間外の場合に精算が必要か否かを判定する。なお、ここでは、判定処理部２２による各判定の順序は、ＩＣカード３の有効無効、入出場情報の適否、定期券情報の適否、精算が必要か否かの順に判定する場合で説明しているが、これらの判定の順序はこれに限られるものではなく、仕様に応じて適宜決めてよい。
【００６８】
判定部２４により精算が必要と判定した場合には、判定処理部２２は、精算処理部２５により、受付装置情報３７とカード情報３ａに基づき精算金額を演算する。精算金額は、乗越し運賃であり、受付装置情報３７とカード情報３ａに基づいて算出する。また乗越し運賃は、受付装置情報３７とカード情報３ａとから得られる入場駅、出場駅、定期券情報から、記憶部２６の料金テーブル２８を呼び出し、料金テーブル２８に基づいて算出する。
【００６９】
精算処理部２５は、残高金額が精算金額以上の場合、残高金額から精算金額を差算する。精算結果を含む個別判定情報をカード情報３ａに記録、さらにこのカード情報３ａに改札機１０から出場したことを示す入出場情報を記録して改札機１０のカードリーダライタ１５に出力する。これを入力したカードリーダライタ１５は、ＩＣカード３にこのカード情報３ａを書き込む（Ｓ２９）。また精算処理部２５は、この精算結果を含む個別判定情報を記憶部２６の判定処理情報２９に記録する。これで、出場の処理が完了する。言いかえれば、利用者は出場処理を受けたことになる。
【００７０】
また、残高金額が精算金額に満たない場合には、精算処理部２５は、残高金額が精算金額に満たない旨を表示モニタ１６により表示する。またこの場合には、ＩＣカード３のカード情報３ａは書き換えない。
【００７１】
定期券が定期券有効期限内であり、出場駅が定期券区間内の場合には、判定部２４は、改札機１０から出場したことを示すカード情報３ａを改札機１０のカードリーダライタ１５に出力する。これを入力したカードリーダライタ１５は、ＩＣカード３にこのカード情報３ａを書き込む（Ｓ２９）。これで、出場の処理が完了する。
【００７２】
以上の動作は、入場と同様に利用者がＩＣカード３をカードリーダライタ１５にかざす又は１タッチする間に行われる。また制御装置２０は、以上の出場処理を、履歴として記憶部２６の判定処理情報２９に記録する。
【００７３】
また利用者は、上述のように残高金額が精算金額に満たない場合には、例えば精算機で精算するか、またはＩＣカード３に入金して残高金額を高めることで出場処理を受けることができる。
【００７４】
そして、改札機１０は、入場の場合と同様に、カード情報３ａをＩＣカード３に書き込む、言い換えれば出場処理が完了すると、表示モニタ１６により、正常処理完了の旨を表示する（Ｓ１７）。そして、改札機１０は、表示モニタ１６により、正常処理完了の旨を表示（Ｓ１７）した後、又は処理不能の旨を改札機１０の表示モニタ１６に表示（Ｓ１３）した後に、存在検知センサ１７により利用者の存在を検知しなくなった場合には（Ｓ１９がＹ）、一定時間経過後に表示モニタ１６を消灯して待機する（Ｓ２１）。
【００７５】
なお、以上では入場の際に、初乗り運賃を引き去る、いわゆる先引き方式を用いている場合で説明したが、入場の際に初乗り運賃を引き去らずに、出場の際に一括して精算する後引き方式を用いてもよい。
【００７６】
また、料金の精算を行った場合には、正常処理完了の旨を表示する際に（Ｓ１７）、「利用金額はＸＸです。残額はＹＹ円です」という表示を行うようにする。
【００７７】
さらに図８を参照して、改札機１０の利用者によるいくつかの利用例を説明する。ここでは、利用者のＩＣカード３は、Ａ駅―Ｂ駅区間の定期券情報を持っているものとして説明する。また、入場の際に初乗り運賃を差し引く先引き方式で説明する。
【００７８】
まず図８（ａ）に示すように、利用者がＩＣカード３を用いて定期券区間から入場し、定期券区間外から出場する場合の例を説明する。利用者は、定期券区間内の駅であるＡ駅からＩＣカード３を使って入場する。まず利用者は、改札機１０の入場ボタン１３を押下し、ＩＣカード３を接客面１０ａの案内表示１９ｂの位置にかざすまたは１タッチする。これにより、改札機１０は、判定部２４によりＡ駅―Ｂ駅区間の定期券情報を持っていると判定し、改札機１０のカードリーダライタ１５を介してＩＣカード３のカード情報３ａを書き換える。
これにより、利用者は入場し、列車に乗車する。
【００７９】
そして利用者は、Ｂ駅を経由し、定期券区間外のＣ駅で下車する。
利用者は、Ｃ駅からＩＣカード３を使って出場しようとするときに、改札機１０の出場ボタン１４を押下し、ＩＣカード３を接客面１０ａの案内表示１９ｂの位置にかざすまたは１タッチする。これにより、改札機１０は、カードリーダライタ１５を介してＩＣカード３のカード情報３ａを入力する。利用者が定期券区間外のＣ駅で出場しようとしているので、改札機１０は、判定部２４により精算が必要と判定する。この際に、ＩＣカード３の残高金額がＢ駅からＣ駅の運賃即ち精算金額以上であれば、精算処理部２５により、残高金額から精算金額を差し引いた金額を精算後の残高金額とする。
【００８０】
そして改札機１０は、カードリーダライタ１５を介してＩＣカード３のカード情報３ａを書き換える。即ち利用者が出場処理を受ける。また、ＩＣカード３の残高金額が精算金額に満たなければ、表示モニタ１６によりその旨を伝える。即ち、利用者はＣ駅からの出場処理を受けることができない。この場合、例えば精算機で精算を行えば、Ｃ駅からの出場処理を受けることができる。
【００８１】
次に図８（ｂ）に示すように、利用者がＩＣカード３を用いて定期券区間外から入場し、定期券区間外から出場する場合の例を説明する。利用者は、定期券区間外の駅であるＣ駅からＩＣカード３を使って入場する。まず利用者は、改札機１０の入場ボタン１３を押下し、ＩＣカード３を接客面１０ａの案内表示１９ｂの位置にかざすまたは１タッチする。これにより、改札機１０は、カードリーダライタ１５を介してＩＣカード３のカード情報３ａを入力する。利用者が定期券区間外のＣ駅から入場しようとしているので、改札機１０は、ＩＣカード３の残高金額が初乗り運賃以上であれば、精算処理部２５により、残高金額から初乗り運賃を差し引いた金額を入場後の残高金額とする。
【００８２】
そして改札機１０は、カードリーダライタ１５を介してＩＣカード３のカード情報３ａを書き換える。即ち利用者が入場処理を受ける。また、ＩＣカード３の残高金額が初乗り運賃に満たなければ、利用者はＣ駅からの入場処理を受けることができない。この場合、例えば券売機で入金を行えば、Ｃ駅から入場処理を受けることができる。
これにより、利用者は入場し、列車に乗車する。
【００８３】
そして利用者は、定期券区間外のＤ駅で下車する。
利用者は、Ｄ駅からＩＣカード３を使って出場しようとするときに、改札機１０の出場ボタン１４を押下し、ＩＣカード３を接客面１０ａの案内表示１９ｂの位置にかざすまたは１タッチする。これにより、改札機１０は、カードリーダライタ１５を介してＩＣカード３のカード情報３ａを入力する。利用者が定期券区間外のＤ駅から出場しようとしているので、改札機１０は、判定部２４により精算が必要と判定する。この際、Ｃ駅からＤ駅の運賃から初乗り運賃を差し引いた金額、即ち差額が乗越し運賃となる。改札機１０は、ＩＣカード３の残高金額が乗越し運賃即ち精算金額以上であれば、精算処理部２５により、残高金額から精算金額を差し引いた金額を精算後の残高金額とする。なお、判定部２４は、Ｄ駅が初乗り運賃の区間内であれば、精算の必要なしと判定する。
【００８４】
そして改札機１０は、カードリーダライタ１５を介してＩＣカード３のカード情報３ａを書き換える。また、ＩＣカード３の残高金額が精算金額に満たなければ、利用者はＤ駅からの出場処理を受けられない。この場合、例えば精算機で精算を行えば、Ｄ駅からの出場処理を受けられる。
【００８５】
さらに図８（ｃ）に示すように、利用者がＩＣカード３を用いて定期券区間外から入場し、定期券区間を経由し、定期券区間外から出場する場合の例を説明する。利用者は、定期券区間外の駅であるＥ駅からＩＣカード３を使って入場する。この場合は、前述の図８（ｂ）で説明した入場と同様である。
そして、利用者は入場し、列車に乗車する。
【００８６】
利用者は、定期券区間のＡ駅、Ｂ駅を経由し、定期券区間外のＣ駅で下車する。まず利用者は、改札機１０の出場ボタン１４を押下し、ＩＣカード３を接客面１０ａの案内表示１９ｂの位置にかざすまたは１タッチする。利用者が定期券区間外のＣ駅から出場しようとしているので、改札機１０は、判定部２４により精算が必要と判定し、精算処理部２５により精算金額を算出する。この際には、精算処理部２５は、まず入場の際に先引きした初乗り運賃を除外して精算金額を算出する。次に精算処理部２５は、Ｅ駅からＡ駅区間の運賃とＢ駅からＣ駅区間の運賃とを加算した金額と、Ｅ駅からＣ駅区間の運賃とを比較する。そしてこの比較結果から金額の安い方を乗車運賃とする。さらにこの乗車運賃から初乗り運賃を差し引いたものを精算金額とする。改札機１０は、ＩＣカード３の残高金額が精算金額以上であれば、精算処理部２５により、残高金額から精算金額を差し引いた金額を精算後の残高金額とする。
【００８７】
そして改札機１０は、カードリーダライタ１５を介してＩＣカード３のカード情報３ａを書き換える。また、ＩＣカード３の残高金額が精算金額に満たなければ、利用者はＣ駅からの出場処理を受けられない。この場合、例えば精算機で精算を行えば、Ｃ駅からの出場処理を受けられる。
【００８８】
ここで、図９を参照して、改札機１０の利用者による利用方法の例を説明する。通常の場合、利用者が改札機１０を利用するときには、前述したように入場ボタン１３又は出場ボタン１４を押下して、その後にＩＣカード３を接客面１０ａの案内表示１９ｂの位置にかざす又は１タッチするが、図示するように、利用者がＩＣカード３を案内表示１９ｂの位置にかざす又は１タッチするのと入場ボタン１３又は出場ボタン１４を押す行為を片手で同時に行ってもよい。このようにすることで、利用者による操作時間の短縮が可能である。また、片手が塞がっていても操作が容易且つ円滑に行なえるので、簡便である。図示は出場の場合であり、改札機１０側の手（図示では右手）でＩＣカード３を保持している場合を示している。
【００８９】
このような場合には、まず利用者は、例えばＩＣカード３を、手を軽く握った状態でＩＣカード３の周縁部を親指と人差し指で挟んで保持する。そして、この状態で、ＩＣカード３を案内表示１９ｂの位置にかざすように、およそ小指の付け根周辺で入場ボタン１３又は出場ボタン１４を押下する。このようにして入場ボタン１３又は出場ボタン１４を押下すると、必然的にＩＣカード３がかざされる又は１タッチされる、即ちＩＣカード３がアンテナ部１５ａにより情報を読み書き処理できる位置にくるので、ＩＣカード３をかざす又は１タッチするのと入場ボタン１３又は出場ボタン１４を押す行為を同時に行っていることになる。これにより、利用者は１アクション（１タッチ）で入場処理又は出場処理を受けることができるので、操作が非常に簡便であり且つ円滑に行える。
【００９０】
以上のように、本実施の形態の改札機１０は、入場処理を行う旨を指定する入場ボタン１３と、出場処理を行う旨を指定する出場ボタン１４と、ＩＣカード３に情報の読み書き処理をするカードリーダライタ１５とを備えているので、入場用の改札機と出場用の改札機とを別に設ける必要が無く、一体に構成できるので、改札機１０を非常に単純で安価に構成できる。これにより、改札機１０を乗降客の少ない駅でも容易に設置しやすい。また、入場ボタン１３又は出場ボタン１４を押下し、ＩＣカード３をかざすまたは１タッチすることで容易に乗り越しによる精算を行えるので、利用者がＩＣカード３を簡便に利用できる。また、入場処理又は出場処理の指定を、利用者が、それぞれ入場ボタン１３又は出場ボタン１４により指定することで、受けようとする処理が入場処理か出場処理かを確認することになり、入場処理と出場処理とを誤ってしまうことが発生しにくい。
【００９１】
さらに、ＩＣカード３の入場処理、出場処理を１台の改札機１０により円滑に行えるので、運用効率の高めることができる。また、判定処理部２２がカード情報３ａに基づいてＩＣカード３の有効無効を判定し、料金の精算処理をするので、ＩＣカード３の不正使用を防ぐことができ、確実に精算の処理を行うことができる。
【００９２】
また、入場ボタン１３と出場ボタン１４は、共に三角形に形成され、入場ボタン１３は三角形の１つの頂点を入場方向に向けて、出場ボタン１４は三角形の１つの頂点を出場方向に向けて配置されているので、利用者は入場ボタン１３と出場ボタン１４との判別がつきやすく、各ボタンの押し間違えをしにくくなる。さらに、入場ボタン１３は、アンテナ部１５ａに対して入場方向手前側に配置され、出場ボタン１４は、アンテナ部１５ａに対して出場方向手前側に配置され、入場ボタン１３及び出場ボタン１４は、アンテナ部１５ａから、利用者の握りこぶしの平均的な大きさの範囲に配置されているので、利用者がＩＣカード３をアンテナ部１５ａにかざす又は１タッチするのと入場ボタン１３又は出場ボタン１４を押す行為を同時に行うことができ、操作時間の短縮が可能であり、円滑に利用できる。
【００９３】
また、改札機１０は、表示モニタ１６により操作案内を表示しているので、利用者が操作に戸惑うことなく、簡便に操作できる。また改札機１０は、存在検知センサ１７により、利用者が改札機１０の前に立っていることを検知できるので、利用者が改札機１０の前に存在していないときに表示モニタ１６を消灯することができ、表示モニタ１６の耐用年数を長くできる。さらに、利用者が改札機１０の前に存在していないときに表示モニタ１６を消灯することで、節電することができる。
【００９４】
以上のように、本実施の形態の改札システム１は、改札機１０と、改札機１０の管理を行う運用管理サーバ１０２とを備えるので、複数の改札機１０を一元管理でき、管理システムを単純に構成できる。また、運用の管理が簡便になる。さらに、運用管理サーバ１０２により、運賃改正などによる料金テーブル２８、利用監視情報２９、プログラム等の更新が運用管理サーバ１０２から通信回線２を介して、改札機１０や改札機監視端末１０１にダウンロードできるので、保守が容易である。また、改札機監視端末１０１、運用管理サーバ１０２、収入管理端末１０２が関係者以外の立ち入りを禁止できる場所に設置されているので、破壊や盗難により、保存されている情報が漏洩してしまう可能性がなく、保安性を高めることができる。
【００９５】
【発明の効果】
以上のように本発明によれば、入場処理及び出場処理のうち少なくとも一方を行う改札装置において、利用者が、入場処理を行うか、出場処理を行うかの旨を指定する処理指定手段と、前記利用者が提示するカード媒体に情報の読み書き処理をするカード処理手段とを備えているので、単純で安価でありながら、簡便に利用できる改札装置を提供できる。
【図面の簡単な説明】
【図１】  本発明の実施の形態に係る改札機の概要を示す模式的斜視図である。
【図２】本発明の実施の形態に係るＩＣカード及びＩＣカードに記憶されるカード情報を説明するブロック図である。
【図３】本発明の実施の形態に係る改札機の構成を説明するブロック図である。
【図４】本発明の実施の形態に係る改札機を説明する斜視図である。
【図５】図４の改札機の接客面について説明する平面図である。
【図６】本発明の実施の形態に係る改札システムの概要を示す模式図である。
【図７】本発明の実施の形態に係る改札機の作用を説明するフローである。
【図８】本発明の実施の形態に係る改札機の利用者による利用例を説明する図である。
【図９】本発明の実施の形態に係る改札機の利用者による利用方法の例を説明する（ａ）平面図、（ｂ）Ａ矢視図である。
【符号の説明】
１  改札システム
２  通信回線
３  ＩＣカード
３ａ  カード情報
１０  改札機
１３  入場ボタン
１４  出場ボタン
１５  カードリーダライタ
１５ａ  アンテナ部
１６  表示モニタ
１７  存在検知センサ
２０  制御装置
２１  制御部
２２  判定処理部
２４  判定部
２５  精算処理部
２６  記憶部
２７  利用監視情報
３０  通信インタフェース
３１  補助記憶媒体処理装置
３２  電源装置
３４  警報装置
１０１  改札機監視端末
１０２  運用管理サーバ
１０３  収入管理端末
【図１】
0003934958.tif 000002
【図２】
0003934958.tif 000003
【図３】
0003934958.tif 000004
【図４】
0003934958.tif 000005
【図５】
0003934958.tif 000006
【図６】
0003934958.tif 000007
【図７】
0003934958.tif 000008
【図８】
0003934958.tif 000009
【図９】
0003934958.tif 000010